(57)【要約】【課題】高周波回路で機能するノイズフィルタとして有効な、減衰特性が急峻で、かつ広帯域にわたる周波数成分のノイズの除去が可能な積層型ＬＣ複合部品を提供する。【解決手段】チップ素子１０の内部に複数の２端子コンデンサＣ１，Ｃ２、Ｃ３を配設し、各２端子コンデンサの一方端子をチップ素子１０の一方端面１１ａに引き出して、共通外部端子電極８ａ（Ｔ１）に接続し、各２端子コンデンサの他方端子をチップ素子１０の他方端面１１ｂに引き出して第１外部電極４（４ａ，４ｂ，４ｃ）に接続し、チップ素子１０の他方端面１１ｂの、第１外部電極間に第１磁性体層５（５ａ，５ｂ）を形成し、各第１外部電極４を接続するように、第１磁性体層５上に第２外部電極６を配設し、チップ素子１０の表面の所定位置に、第２外部電極６の一方端及び他方端と導通する一方端側外部端子電極８ｂ（Ｔ２）及び他方端側外部端子電極８ｃ（Ｔ３）を形成する。【選択図】図１
2005086614.tif 000002
【特許請求の範囲】
【請求項１】
誘電体層を介して互いに対向するように内部電極を配設することによりチップ素子の内部に形成された複数の２端子コンデンサであって、一方端子が前記チップ素子の一方端面に引き出され、他方端子が前記チップ素子の他方端面に引き出された複数の２端子コンデンサと、
前記チップ素子の一方端面に形成された共通外部端子電極であって、前記複数の２端子コンデンサのそれぞれの一方端子と導通する共通外部端子電極と、
前記チップ素子の他方端面に形成された、前記複数の２端子コンデンサと対応する数の第１外部電極であって、対応する２端子コンデンサの他方端子のそれぞれと導通する複数の第１外部電極と、
前記チップ素子の他方端面の、前記各第１外部電極間に形成された第１磁性体層と、
前記複数の第１外部電極のそれぞれを互いに導通させるような態様で、前記第１磁性体層上に形成された第２外部電極と、
前記チップ素子の表面に形成された、前記第２外部電極の一方端と導通する一方端側外部端子電極、及び前記第２外部電極の他方端と導通する他方端側外部端子電極と
を具備することを特徴とする積層型ＬＣ複合部品。
【請求項２】
請求項１記載の積層型ＬＣ複合部品であって、前記チップ素子の内部に３つの２端子コンデンサが配設され、前記３つの２端子コンデンサの他方端子のそれぞれが、前記３つの第１外部電極のそれぞれに接続されているとともに、前記３つの第１外部電極間の２つの領域には、それぞれ前記第１磁性体層が形成されており、前記３つのコンデンサと前記２つのインダクタがダブルπ型構造を形成していることを特徴とする積層型ＬＣ複合部品。
【請求項３】
請求項１又は２記載の積層型ＬＣ複合部品であって、前記第２外部電極の少なくとも主要部を覆うように第２磁性体層が形成されていることを特徴とする積層型ＬＣ複合部品。
【発明の詳細な説明】
【技術分野】
【０００１】
本発明は、ＬＣ複合部品に関し、より詳細には、減衰特性において複数の共振点を有し、高周波回路で機能するノイズフィルタとして有効な、減衰特性が急峻で、かつ広帯域にわたる周波数成分のノイズの除去が可能な積層型ＬＣ複合部品に関する。
【背景技術】
【０００２】
今日、電子機器のデジタル化が進み、それに伴って、デジタル信号回路におけるノイズの問題が増加している。
このようなデジタル信号回路におけるノイズ対策には、クロック波形の鈍りや変形を極力少なくした状態で、該ノイズを大幅に除去できるようにすることが重要である。
そして、そのような用途に用いられるノイズフィルタとしては、挿入損失特性において、その減衰特性が急激に減衰すること、すなわち、急峻性が優れていることが必要であり、減衰後においては、広帯域にわたり減衰量が確保されていることが必要である。
【０００３】
このようなＬＣ複合部品としては、図１３，１４に示すような構成、及び図１５に示すような等価回路を有する分布定数型のノイズフィルタが提案されている（例えば、特許文献１及び２参照）。
この分布定数型のノイズフィルタ５０は、図１３，図１４に示すように、チップ５１（図１４）の内部に誘電体層５２ａ，５２ｂ…を内蔵し、誘電体層５２ａ，５２ｂ…のそれぞれの上下に、低抵抗金属５３ａ，５３ｂ…、５４ａ，５４ｂ…を配設して、一方の低抵抗金属５３ａ，５３ｂ…を信号用導体５３とし、他方の低抵抗金属５４ａ，５４ｂ…をコンデンサ用導体５４とするとともに、両導体５３，５４を、同一の誘電体層５２中の１箇所以上の部位で対向させ、チップ５１（図１４）の内部に、両導体５３，５４により形成されるフィルタを内蔵した構成としたものである。
なお、チップ５１は、図１３に示すように、セラミックグリーンシート５５ａ，５５ｂ…５５ｇを積層することにより形成されおり、所定のセラミックグリーンシートにはスルーホール５６が形成されている。また、最下層のセラミックグリーンシート５５ａには信号入力引出し電極５７、アース用引出し電極５８が形成され、最上層のセラミックグリーンシート５５ｇには、信号出力引出し電極５９が印刷されている。さらに、チップ５１には、図１４に示すように、アース用外部電極６０及び信号用外部電極６１が形成されている。
【０００４】
そして、この分布定数型のノイズフィルタは、図１５に示すように、両端部に入力端子７１と出力端子７２とを有するインダクタ導体Ｌ３と、一端部にアース端子７３を有するコンデンサ導体Ｌ４と、コンデンサＣとを備えた等価回路を有している。
この分布定数型のノイズフィルタは、図１６に示すように、２つの共振点（共振ピーク）ｆ１，ｆ２を有している。この２つの共振ピークｆ１，ｆ２のうち、高周波の共振ピークｆ２は、主に信号伝送用導体のインダクタンスに起因するものであり、信号伝送用導体のインダクタンスを大きくすることにより、その共振周波数を低くすることが可能である。
また、低周波側の共振点（共振ピーク）ｆ１は、コンデンサの静電容量、及び接地用導体のインダクタンスに起因するものであり、コンデンサの静電容量又は接地用導体のインダクタンスを大きくすることにより、その共振周波数を低くすることが可能である。
従って、このＬＣ複合部品を高周波領域におけるノイズフィルタとして機能させるためには、共振点（共振ピーク）ｆ１及びｆ２が高周波領域にあることが必要であり、ＬＣ複合部品をそのように設計する必要がある。そして、この共振ピークｆ１，ｆ２の共振周波数を同時に高くするためには、信号伝送用導体のインダクタンス、コンデンサの静電容量、及び接地用導体のインダクタンスを小さくする必要がある。
【０００５】
しかしながら、上述のような手段を施したＬＣ複合部品の場合であっても、最も低周波側に位置するＬＣ共振周波数からカットオフ周波数までの帯域が広範囲にわたっている場合には、高急峻な減衰特性を得るにも限界があり、信号とノイズの周波数が近接している回路に用いた場合、該ノイズを除去すると同時に信号成分の一部を除去してしまい、正常な回路動作を損なうおそれがあるなどの問題点がある。
【特許文献１】特開平４−１１１５１３号公報
【特許文献２】特開平６−２０８３８号公報
【発明の開示】
【発明が解決しようとする課題】
【０００６】
本発明は、上記問題点を解決して、高周波回路で機能するノイズフィルタとして有効な、減衰特性が急峻で、かつ広帯域にわたる周波数成分のノイズ除去が可能な積層型ＬＣ複合部品を提供することを課題としている。
【課題を解決するための手段】
【０００７】
上記課題を解決するため、本発明の積層型ＬＣ複合部品は、
誘電体層を介して互いに対向するように内部電極を配設することによりチップ素子の内部に形成された複数の２端子コンデンサであって、一方端子が前記チップ素子の一方端面に引き出され、他方端子が前記チップ素子の他方端面に引き出された複数の２端子コンデンサと、
前記チップ素子の一方端面に形成された共通外部端子電極であって、前記複数の２端子コンデンサのそれぞれの一方端子と導通する共通外部端子電極と、
前記チップ素子の他方端面に形成された、前記複数の２端子コンデンサと対応する数の第１外部電極であって、対応する２端子コンデンサの他方端子のそれぞれと導通する複数の第１外部電極と、
前記チップ素子の他方端面の、前記各第１外部電極間に形成された第１磁性体層と、
前記複数の第１外部電極のそれぞれを互いに導通させるような態様で、前記第１磁性体層上に形成された第２外部電極と、
前記チップ素子の表面に形成された、前記第２外部電極の一方端と導通する一方端側外部端子電極、及び前記第２外部電極の他方端と導通する他方端側外部端子電極と
を具備することを特徴としている。
【０００８】
また、請求項２の積層型ＬＣ複合部品は、請求項１記載の積層型ＬＣ複合部品であって、前記チップ素子の内部に３つの２端子コンデンサが配設され、前記３つの２端子コンデンサの他方端子のそれぞれが、前記３つの第１外部電極のそれぞれに接続されているとともに、前記３つの第１外部電極間の２つの領域には、それぞれ前記第１磁性体層が形成されており、前記３つのコンデンサと前記２つのインダクタがダブルπ型構造を形成していることを特徴としている。
【０００９】
また、請求項３の積層型ＬＣ複合部品は、請求項１又は２記載の積層型ＬＣ複合部品であって、前記第２外部電極の少なくとも主要部を覆うように第２磁性体層が形成されていることを特徴としている。
【発明の効果】
【００１０】
本発明（請求項１）の積層型ＬＣ複合部品は、１つのチップ素子の内部に複数の２端子コンデンサを配設し、各２端子コンデンサの一方端子をチップ素子の一方端面に引き出して、該一方端面に形成された共通外部端子電極に接続し、各２端子コンデンサの他方端子をチップ素子の他方端面に引き出し、該他方端面に形成された各２端子コンデンサに対応する複数の第１外部電極のそれぞれに接続し、チップ素子の他方端面の、各第１外部電極間に第１磁性体層を形成し、各第１外部電極を接続するように、第１磁性体層上に第２外部電極を配設し、チップ素子の表面の所定位置に、第２外部電極の一方端と導通する一方端側外部端子電極と、第２外部電極の他方端に導通する他方端側外部端子電極を形成するようにしているので、チップ素子の内部に配設された各コンデンサの容量を調整することにより、複数の共振点を容易に制御することが可能になり、所望の特性を備えた積層型ＬＣ複合部品、例えば、高周波回路で機能するノイズフィルタとして有効な、減衰特性が急峻で、かつ広帯域にわたる周波数成分のノイズの除去が可能なＬＣ複合部品を得ることが可能になる。
【００１１】
また、本発明の積層型ＬＣ複合部品は、容易に多連構造とすることが可能であり、フィルタとして減衰特性の急峻なものを容易に得ることができる。
【００１２】
また、本発明の積層型ＬＣ複合部品は、１つのチップ素子内に複数の２端子コンデンサを配設するようにしているので、請求項２の積層型ＬＣ複合部品のように、３つの２端子コンデンサ、２つのインダクタを備えたダブルπ型構造とした場合にも、製品の小型化を図ることが可能で、部品搭載面積（部品専有面積）が大きくなることを抑制して、実装コストを低減することが可能になる。
【００１３】
また、請求項３の積層型ＬＣ複合部品は、請求項１又は２記載の積層型ＬＣ複合部品において、第２外部電極の少なくとも主要部を覆うように第２磁性体層を形成するようにしているので、第２外部電極に流れる電流と、この第２磁性体層のフェライトによる、インダクタ特性の向上により、さらに性能の高い積層型ＬＣ複合部品を得ることが可能になる。
【発明を実施するための最良の形態】
【００１４】
以下、本発明の実施例を示して、その特徴とするところをさらに詳しく説明する。
【実施例１】
【００１５】
図１は、本発明の一実施形態にかかる積層型ＬＣ複合部品の構成を示す平面断面図、図２は積層型ＬＣ複合部品の主要部であるチップ素体の内部構造を示す断面図（図１のａ−ａ線断面図）である。
【００１６】
この積層型ＬＣ複合部品は、図１及び図２に示すように、チップ素子１０の内部に、誘電体層（セラミック層）１２を介して互いに対向するように、平面面積の異なる３種類の内部電極１（１ａ，１ｂ），２（２ａ，２ｂ），３（３ａ，３ｂ）を配設することにより形成された容量の異なる３つの２端子コンデンサＣ１，Ｃ２、Ｃ３を備えている。
【００１７】
そして、各２端子コンデンサＣ１，Ｃ２，Ｃ３の一方端子は、チップ素子１０の一方端面１１ａに引き出され、該一方端面１１ａに形成された共通外部端子電極８ａ（Ｔ１）に接続されており、各２端子コンデンサＣ１，Ｃ２，Ｃ３の他方端子はチップ素子１０の他方端面１１ｂに引き出され、該他方端面１１ｂに、３つの２端子コンデンサＣ１，Ｃ２，Ｃ３のそれぞれに対応して形成された３つの第１外部電極４（４ａ，４ｂ，４ｃ）に接続されている。
【００１８】
また、チップ素子１０の他方端面１１ｂに形成された各第１外部電極４（４ａ，４ｂ，４ｃ）間の２つの領域のそれぞれには、第１磁性体層５（５ａ，５ｂ）が形成されている。
【００１９】
さらに、各第１外部電極４（４ａ，４ｂ，４ｃ）を接続するように、第１外部電極４（４ａ，４ｂ，４ｃ）及び第１磁性体層５（５ａ，５ｂ）上には、第２外部電極６が配設されており、この第２外部電極６を覆うように第２磁性体層７が形成されている。
【００２０】
そして、チップ素子１０の他方端面１１ｂの両端側の稜線部には、第２外部電極６の一方端と導通する一方端側外部端子電極８ｂ（Ｔ２）と、第２外部電極６の他方端に導通する他方端側外部端子電極８ｃ（Ｔ３）が形成されている。
【００２１】
図３は、この実施例１の積層型ＬＣ複合部品の等価回路を示す図である。この積層型ＬＣ複合部品は、図３に示すように、並列に配設された３つの２端子コンデンサＣ１，Ｃ２，Ｃ３と、２端子コンデンサＣ１，Ｃ２，Ｃ３の他方端子間に配設された２つのインダクタＬ１，Ｌ２と、共通外部端子電極Ｔ１と、一方端側外部端子電極電極Ｔ２と，他方端側外部端子電極Ｔ３とを備えた、いわゆるダブルπ型のＬＣ複合構造を有している。
次に、この積層型ＬＣ複合部品の製造方法について説明する。
【００２２】
(１)まず、誘電体セラミック粉末をバインダーに分散させたセラミックスラリーをシート状に成形してセラミックグリーンシートを作成する。
【００２３】
(２)次に、図４に示すように、スクリーン印刷法などの方法により、セラミッ
クグリーンシート２１上に導電性ペーストを印刷して内部電極（内部電極パターン）１，２，３を形成する。なお、各内部電極パターン１，２，３は、セラミックグリーンシート２１の対向する端縁に交互に導出されるよう形成されている（図４，５参照）。
また、内部電極パターン１，２，３は、それぞれ、その有効面積（重なり面積）が異なっており、形成されるコンデンサＣ１，Ｃ２，Ｃ３の取得容量を異ならせることにより、各コンデンサＣ１，Ｃ２，Ｃ３の共振周波数を異ならせるように構成されている。
【００２４】
(３)次に、各内部電極パターン１，２，３が印刷されたセラミックグリーンシート（図４，図５参照）２１を、内部電極パターン１ａと１ｂ、２ａと２ｂ，３ａと３ｂが逆側の端縁に交互に導出されるような態様で複数枚積層するとともに、さらにその上下に内部電極パターンが印刷されてないセラミックグリーンシート（図示せず）を所定枚数積み重ねて、圧着することにより積層体（チップ素子）を形成する。
なお、実際には、多数個の内部電極パターンが形成されたマザーセラミックグリーンシートを積層し、多数個のチップ素子に分割されるべきマザー積層体を形成した後、マザー積層体を所定の位置でカットすることにより、多数個のチップ素子を同時に得るようにした、いわゆる多数個取りの方法が用いられる。
【００２５】
(４)それから、上述のようにして得た積層体（チップ素子）を所定の条件で焼成した後、チップ素子をバレル研磨し、内部電極１，２，３をチップ素子１０の一方端面１１ａ及び他方端面１１ｂに露出させる。なお、図６は、内部電極１，２，３がチップ素子１０の他方端面１１ｂに露出した状態を示している。
【００２６】
(５)次に、チップ素子１０の一方端面１１ａに銀ペーストを塗布して焼き付けることにより、共通外部端子電極８ａ（Ｔ１）（図１）を形成する。
【００２７】
(６)それから、図７に示すように、チップ素子１０の他方端面１１ｂに銀ペーストを塗布して焼き付けることにより、各第１外部電極４（４ａ，４ｂ，４ｃ）を形成する。
【００２８】
(７)さらに、図７に示すように、形成された各第１外部電極４（４ａ，４ｂ，４ｃ）間の２つの領域にフェライトペーストを塗布して焼き付けることにより、各第１外部電極４（４ａ，４ｂ，４ｃ）間に、インダクタＬ１及びインダクタＬ２として機能することになる第１磁性体層５（５ａ，５ｂ）を形成する。
なお、ここでは、フェライトペーストとして、Ｆｅ，Ｎｉ，Ｃｕ，Ｚｎの各出発原料を所定の割合で配合した磁性体原料を整粒、粉砕した平均粒径１μm以下（この実施例では０．５μm以下）のフェライト粉末に、エチルセルロース，プチラール樹脂などの公知のバインダー及び溶剤を添加、混合した後、十分に混練することにより調製したペーストを用いた。なお、平均粒径１μm以下のフェライト粉末を用いたフェライトペーストは、通常、８００℃前後での焼成が可能になる。
【００２９】
(８)さらに、図８に示すように、各第１外部電極４（４ａ，４ｂ，４ｃ）を互いに接続させるように、第１外部電極４（４ａ，４ｂ，４ｃ）及び第１磁性体層５（５ａ，５ｂ）上に、銀ペーストを塗布して、焼き付けることにより、第２外部電極６を形成する。
【００３０】
(９)それから、図９に示すように、第２外部電極６（図８）を覆うようにフェライトペーストを塗布して、焼き付けることにより、チップ素子１０の他方端面１１ｂに第２磁性体層７を形成する。
【００３１】
(10)そして、最後に、銀ペーストを塗布して、焼き付けることにより、図１及び図１０に示すように、チップ素子１０のコーナ部（縦の稜線部）に一方端側外部端子電極８ｂ（Ｔ２），及び他方端側外部端子電極８ｃ（Ｔ３）を形成する。これにより、図１に示すような構造を有する積層型ＬＣ複合部品が得られる。
【００３２】
上述のように構成された積層型ＬＣ複合部品は、１つのチップ素子１０に、３つの２端子コンデンサＣ１，Ｃ２，Ｃ３と、２つのインダクタＬ１，Ｌ２を配設したダブルπ型構造の積層型ＬＣ複合部品であり、チップ素子１０内の各コンデンサＣ１，Ｃ２，Ｃ３の容量を調整することにより、複数の共振点を容易に制御することが可能になり、所望の特性を備えた積層型ＬＣ複合部品、例えば、高周波回路で機能するノイズフィルタとして有効な、減衰特性が急峻で、かつ広帯域にわたる周波数成分のノイズの除去が可能なＬＣ複合部品を得ることができる。
【００３３】
また、本発明の積層型ＬＣ複合部品は、上記実施例１のように、複数（３つ）の２端子コンデンサと、複数（２つ）のインダクタを１つのチップ素子１０に配設するようにしているので、製品の小型化を図ることが可能になるとともに、部品搭載面積（部品専有面積）を小さくすることが可能になり、実装コストを低減することが可能になる。
【００３４】
また、上記実施例１の積層型ＬＣ複合部品においては、第２外部電極６を覆うように第２磁性体層７を形成しているので、第２外部電極６に流れる電流と、この第２磁性体層７のフェライトによる、インダクタ特性の向上により、さらに性能の高い積層型ＬＣ複合部品を得ることができる。
また、本発明の積層型ＬＣ複合部品は、容易に多連構造とすることが可能であり、フィルタとして減衰特性の急峻なものを容易に構成することができる。
【００３５】
なお、上記実施例１では、第１外部電極４、第２外部電極６、及び第１磁性体層５、第２磁性体層７を形成するにあたって、導電性ペーストあるいはフェライトペーストの塗布、乾燥、及び焼成をそれぞれ別々に行うようにしたが、各導電性ペーストあるいはフェライトペーストを塗布、乾燥した後、同時に焼成するように構成することも可能である。
【００３６】
さらに、共通外部端子電極８ａ（Ｔ１）及び一方端側外部端子電極８ｂ（Ｔ２），他方端側外部端子電極８ｃ（Ｔ３）についても、上記第１外部電極４、第２外部電極６、及び第１及び第２磁性体層５，７と同時焼成するように構成することも可能である。
【００３７】
また、上記実施例１では、チップ素子１０内に、平面面積の異なる３種類の内部電極１，２，３を、誘電体層（セラミック層）１２を介して互いに対向するように配設することにより、容量の異なるコンデンサＣ１，Ｃ２，Ｃ３を形成するようにしたが、例えば、図１１及び図１２に示すように、チップ素子１０内の異なる平面領域に、平面面積が同じ内部電極１（１ａ，１ｂ），２（２ａ，２ｂ），３（３ａ，３ｂ）を異なる枚数積層することにより、容量の異なるコンデンサＣ１，Ｃ２，Ｃ３を形成することも可能である。なお、図１１及び図１２において、図１及び図２と同一符号を付した部分は、図１及び図２と同一又は相当する部分を示している。
さらに、例えば、上記実施例１の場合のように、平面面積の異なる内部電極を用い、かつ、積層枚数を異ならせて、容量の異なる複数のコンデンサを形成することも可能である。
【００３８】
また、上記実施例では、１つのチップ素子１０に、３つの２端子コンデンサＣ１，Ｃ２，Ｃ３と、２つのインダクタＬ１，Ｌ２を備えたダブルπ型構造の積層型ＬＣ複合部品を例にとって説明したが、コンデンサ及びインダクタの配設数やコンデンサとインダクタの組み合わせ態様などは、上記実施例に限定されるものではなく、発明の範囲内において、種々の応用を加えることが可能である。
【００３９】
本発明は、さらにその他の点においても上記実施例に限定されるものではなく、チップ素子の具体的な構成や、共通外部端子電極、一方端側及び他方端側外部端子電極、第１外部電極、第２外部電極、第１磁性体層、第２磁性体層などの構成材料や具体的な形状、配設態様などに関し、種々の応用、変形を加えることが可能である。
【産業上の利用可能性】
【００４０】
本発明の積層型ＬＣ複合部品によれば、チップ素子内の各コンデンサの容量を調整することにより複数の共振点を容易に制御し、所望の特性を備えた積層型ＬＣ複合部品、例えば、高周波回路で機能するノイズフィルタとして有効な、減衰特性が急峻で、かつ広帯域にわたる周波数成分のノイズの除去が可能なＬＣ複合部品を得ることが可能であることから、デジタル信号回路におけるノイズフィルタなどの用途に広く用いることが可能である。
【図面の簡単な説明】
【００４１】
【図１】本発明の一実施例にかかる積層型ＬＣ複合部品の構成を示す平面断面図である。
【図２】本発明の一実施例にかかる積層型ＬＣ複合部品の主要部であるチップ素子を示す断面図（図１のａ−ａ線断面図）である。
【図３】本発明の一実施例にかかる積層型ＬＣ複合部品の等価回路を示す図である。
【図４】本発明の一実施例にかかる積層型ＬＣ複合部品の製造方法を説明する図であって、セラミックグリーンシートに内部電極パターンを形成した状態を示す図である。
【図５】本発明の一実施例にかかる積層型ＬＣ複合部品の製造方法を説明する図であって、内部電極パターンが形成されたセラミックグリーンシートの積層態様を示す図である。
【図６】本発明の一実施例にかかる積層型ＬＣ複合部品の製造方法を説明する図であって、焼成後のチップ素子をバレル研磨し、内部電極を端面に露出させた状態を示す図である。
【図７】本発明の一実施例にかかる積層型ＬＣ複合部品の製造方法を説明する図であって、チップ素子に第１外部電極及び第１磁性体層を形成した状態を示す図である。
【図８】本発明の一実施例にかかる積層型ＬＣ複合部品の製造方法を説明する図であって、各第１外部電極を接続する第２外部電極を形成した状態を示す図である。
【図９】本発明の一実施例にかかる積層型ＬＣ複合部品の製造方法を説明する図であって、第２外部電極を覆うように、第２磁性体層を形成した状態を示す図である。
【図１０】本発明の一実施例にかかる積層型ＬＣ複合部品の製造方法を説明する図であって、チップ素子のコーナ部（縦の稜線部）に一方端側外部端子電極及び他方端側外部端子電極を形成した状態を示す図である。
【図１１】本発明の積層型ＬＣ複合部品の変形例を示す図である。
【図１２】図１２のｂ−ｂ線断面図である。
【図１３】従来のＬＣ複合部品（分布定数型のノイズフィルタ）の要部構成を示す分解斜視図である。
【図１４】従来のＬＣ複合部品（分布定数型のノイズフィルタ）の外観構成を示す斜視図である。
【図１５】従来のＬＣ複合部品（分布定数型のノイズフィルタ）の等価回路を示す図である。
【図１６】従来のＬＣ複合部品（分布定数型のノイズフィルタ）の特性を示す図である。
【符号の説明】
【００４２】
１（１ａ，１ｂ）        内部電極（内部電極パターン）
２（２ａ，２ｂ）        内部電極（内部電極パターン）
３（３ａ，３ｂ）        内部電極（内部電極パターン）
４（４ａ，４ｂ，４ｃ）  第１外部電極
５（５ａ，５ｂ）        第１磁性体層
６                      第２外部電極
７                      第２磁性体層
８ａ（Ｔ１）            共通外部端子電極
８ｂ（Ｔ２）            一方端側外部端子電極
８ｃ（Ｔ３）            他方端側外部端子電極
１０                    チップ素子
１１ａ                  チップ素子の一方端面
１１ｂ                  チップ素子の他方端面
１２                    誘電体層（セラミック層）
２１                    セラミックグリーンシート
Ｃ１，Ｃ２、Ｃ３        コンデンサ（２端子コンデンサ）
Ｌ１，Ｌ２              インダクタ
【図１】
2005086614.tif 000003
【図２】
2005086614.tif 000004
【図３】
2005086614.tif 000005
【図４】
2005086614.tif 000006
【図５】
2005086614.tif 000007
【図６】
2005086614.tif 000008
【図７】
2005086614.tif 000009
【図８】
2005086614.tif 000010
【図９】
2005086614.tif 000011
【図１０】
2005086614.tif 000012
【図１１】
2005086614.tif 000013
【図１２】
2005086614.tif 000014
【図１３】
2005086614.tif 000015
【図１４】
2005086614.tif 000016
【図１５】
2005086614.tif 000017
【図１６】
2005086614.tif 000018